(57)【特許請求の範囲】
【請求項１】
複数のディスクカートリッジを装置内に格納可能にして、格納されたディスクカートリッジから１枚を選択して所定動作を行う自動交換式ディスク装置であって、
所定外形寸法を有する本体部と、
前記ディスクカートリッジの少なくとも２枚以上を前記格納可能にするマガジン部と、
前記マガジン部の上方または下方に設けられ、前記ディスクカートリッジに対して前記所定動作を行うディスク駆動装置と、
前記ディスクカートリッジを前記ディスク駆動装置の所定位置に装填するとともに前記所定位置からの装填が解除された前記ディスクカートリッジを保持する保持手段と、
前記ディスクカートリッジの１枚分を挿脱するために前記本体部の前面に形成される開口部と、
前記開口部から前記マガジン部に連通可能な前記ディスクカートリッジの通路を有し、
前記マガジン部と前記開口部の間における空間部において上下駆動されるとともに、前記マガジン部、前記開口部及び前記保持手段の間で前記ディスクカートリッジの受け渡しを行うアクセサ部と、を具備し、
前記ディスク駆動装置を上下動可能に設けるとともに、
前記マガジン部の最上段または最下段を前記保持手段とし、前記保持手段に格納された前記ディスクカートリッジを前記所定動作するように構成することを特徴とする自動交換式ディスク装置。
【発明の詳細な説明】
【０００１】
【産業上の利用分野】
本発明は自動交換式ディスク装置に係り、例えばフロッピーディスク、音楽用カセットテープ、ＤＡＴ、コンピュータ用データテープそして所謂ミニディスクカートリッジ（以下ミニディスクＭ）などの各種磁気テープや光磁気ディスクカートリッジを自動交換して所定再生するよう構成された自動交換式ディスク装置に関するものである。
【０００２】
【従来の技術】
従来より、オートチェンジャー機能付きのＣＤプレーヤ装置において、例えばＣＤを連続演奏する装置が車両搭載用に種々実用化されている。また、近年になり、家庭用のミニディスク装置を用いて好みの曲を録音しておきミニディスクを演奏する機器も実用化されており、このミニディスクを連続自動演奏するオートチェンジャー装置の要請も高まりつつある。
【０００３】
一方、ＣＤオートチェンジャー装置によれば、装置に対して着脱可能に設けられたＣＤマガジン内に例えばＣＤを最大１０枚程度まで予め格納しておき、これを装置に装填することで、所望のＣＤを自動演奏するように構成されている。
【０００４】
【発明が解決しようとする課題】
しかしながら、上述のＣＤオートチェンジャー装置によれば、マガジン単位での交換をしなければならないことから、例えばＣＤを演奏している途中でＣＤを１枚のみ交換したい場合においても、マガジン全体を交換しなければならず面倒であった。
【０００５】
また、その外直径が１２センチメートルであるＣＤ自体の寸法上の制約から、ＣＤオートチェンジャー装置自体も大型化する結果、例えば車両搭載用に構成する場合には、運転席近くの限られたスペース部分のダッシュボード内に設けることができず、トランクルーム内などに設けざるを得ないことから、マガジンの交換作業をより面倒なものにする問題点があった。
【０００６】
したがって、本発明のカートリッジ交換装置は上述の事情に鑑みてなされたものであり、その目的とするところは、複数の再生媒体を格納でき、また例えば動作途中で再生媒体を１枚毎に交換できるなど機能性に優れ、かつ限られた空間に配設することができる自動交換式ディスク装置を提供することにある。
【０００７】
【課題を解決するための手段】
上述した課題を解決し、目的を達成するために、本発明の自動交換式ディスク装置は以下の構成を備える。すなわち、複数のディスクカートリッジを装置内に格納可能にして、格納されたディスクカートリッジから１枚を選択して所定動作を行う自動交換式ディスク装置であって、所定外形寸法を有する本体部と、前記ディスクカートリッジの少なくとも２枚以上を前記格納可能にするマガジン部と、前記マガジン部の上方または下方に設けられ、前記ディスクカートリッジに対して前記所定動作を行うディスク駆動装置と、前記ディスクカートリッジを前記ディスク駆動装置の所定位置に装填するとともに前記所定位置からの装填が解除された前記ディスクカートリッジを保持する保持手段と、前記ディスクカートリッジの１枚分を挿脱するために前記本体部の前面に形成される開口部と、前記開口部から前記マガジン部に連通可能な前記ディスクカートリッジの通路を有し、前記マガジン部と前記開口部の間における空間部において上下駆動されるとともに、前記マガジン部、前記開口部及び前記保持手段の間で前記ディスクカートリッジの受け渡しを行うアクセサ部と、を具備し、前記ディスク駆動装置を上下動可能に設けるとともに、前記マガジン部の最上段または最下段を前記保持手段とし、前記保持手段に格納された前記ディスクカートリッジを前記所定動作するように構成することを特徴としている。
【００１０】
【作用】
上記の構成により、装置本体の前面開口部を介して、複数のディスクカートリッジを装置内のマガジン部にアクセサ部により順次格納し、格納されたディスクカートリッジからアクセサ部により１枚を選択して保持手段に受け渡し、所定動作を行うとともに、アクセサ部とマガジン部とディスク駆動装置を限られた空間内に無駄なく配設して小型に構成できるようにする。
【００１１】
【実施例】
以下に、本発明の自動交換式ディスク装置の好適な実施例について、ミニディスクＭを記録再生媒体に用いた構成例に付き、以下に添付図面を参照しながら説明する。尚、全図を通じて同一符号は同一対象物を示す。
図１は本発明の第１実施例を示す自動交換式ディスク装置１の要部を破断して示した外観斜視図である。また、図２は図１に基づく右側面図を示している。
【００１２】
先ず、図１において、自動交換式ディスク装置１は記録再生媒体に光磁気ディスクを内蔵したミニディスクＭであって、家庭用のミニディスクＭ装置を用いて好みの曲を録音しておく記録再生媒体を用いる場合を示している。また、このミニディスクＭに限定されず、例えば３．５インチの光磁気ディスクカートリッジであるＭ／Ｏカートリッジ、フロッピーディスクなどであって所定のカートリッジ内に記録再生媒体を収容したものを用いる場合において、以下に述べる構成は適宜採用可能である。
【００１３】
図１において、図中の一点鎖線で示した装置１の外形寸法は幅Ｗ（１８０ミリメートル）、高さＨ（５０ミリメートル）と奥行きＤ（１６５ミリメートル）を有しており、所謂ＤＩＮ規格を満足している。この結果、カーオーディオ用として車両に他の機器と並べて操作面が面一になるように搭載でき、しかも運転席近くの限られたスペース部分のダッシュボード内に設けることができるように配慮されている。また、車用以外にも家庭内等で用いられる近年流行の所謂ミニコンポ用やポータブル用として内蔵可能になるように小型化している。
【００１４】
この装置１の前面には、ミニディスクＭを両矢印方向に装填排出するための前面開口部７が図示のように前面の略中央やや上方部位に形成されており、ミニディスクＭを１枚毎に装填、排出するようにしている。そして、この前面開口部４の後側（装置１の内側）近くには、ミニディスクＭの後挿入及び装填後のミニディスクＭの後端をつき当てることによりミニディスクＭの位置決めを行うシャッター機構４が設けられている。
【００１５】
一方、装置１の内部には、取り付け用ブラケット２ｅを４隅に設けた主フレーム２であってサブフレーム３を設けた基部となる部分が防振ラバー（不図示）などを介して固定されている。また、装置１内部の右側空間部分には、各モータ類及び各センサ類が接続されるとともに、所定の動作制御を司る電子回路基板７０が内蔵固定されている。
【００１６】
このサブフレーム３には、エレベータ機構６を構成するための長溝部３ｄと回動軸支部３ｅが図示のように形成されており、パンタグラフ形状をなすリンク６５の下端部を周知のように夫々支持している。また、前面開口部７を介して挿入されたミニディスクＭを搬送する出入りローラ１５を設けたアクセサ機構５のベース１４に対して、これらのリンク６５の上端部が図示のように夫々接続されている。そして、アクセサ機構５にはエレベータモータＭ２が固定されており、このモータの所定動作に応じてアクセサ機構５がエレベータ機構６の作用により平行移動可能に上下駆動されて、所定位置において停止できるように構成されている。
【００１７】
このように上下駆動されるアクセサ機構５は、図示のように前面開口部７に対向する位置を最上移動位置とする一方、装置１の奥側において固定されたマガジン部８（図中、収容部８１が上下方向に４か所形成されている）の下方において上方及びアクセサ機構に近づく方向に移動可能に設けられているホルダー機構９のホルダーブラケット５０に対向する位置を最下位置にして上下駆動可能に設けられている。
【００１８】
一方、マガジン部８は図示のように円弧状の切り込み部を設けておき、ミニディスクＭの格納時において摩擦抵抗を極力減らすための配慮と、各収容部８１の上下方向の寸法の無駄な寸法を無くすために例えば、０．３ミリメートル前後のステンレス板材が用いられている。また、このマガジン部８には折曲げ加工されたアクチエータ部８２であって、各収容部８１に対応する位置に切欠加工された切欠部を形成した板部分が一体的に設けられており、上述のアクセサ機構５に搭載されたエレベータセンサＳ２（後述する）により、アクセサ機構５の上下駆動動作にともない位置検出することにより、各収容部８１またはホルダー機構９に対向する位置に上下駆動後に停止するように構成されている。そして、以上説明の各収容部８１にはミニディスクＭの有無検出を行う有無センサＳ４が夫々設けられている。
【００１９】
以上のようにしてサブフレーム３内に設けられるマガジン部８、ホルダ機構９の更に下方には、ミニディスクＭ再生装置１０であり、ミニディスクＭを所定回転させるためのチャッキング機構と、光磁気再生のためのヘッドを具備したものであり、図示のように薄く形成されている。
次に、図２は図１の右側面図である。図１に図２をさらに参照して、上記のホルダー機構９は、アクセサ機構５上に一時保持されたミニディスクＭをミニディスクＭ再生装置１０のチャッキング機構に対してチャッキングできる位置に搬送してからチャッキング状態を保持して、所定の再生を行うためのものであって、左側のサブフレーム３の側方において固定されているホルダーモータＭ４の動作にともない、アクセサ機構５とミニディスクＭ再生装置１０のチャッキング機構間を図２中の矢印Ｈ方向に移動可能になるように構成されている。
【００２０】
一方、図１において右側のサブフレーム３の側面には、ミニディスクＭをマガジン部８内に引き込むための引き込み機構１１の駆動源となる引き込みモータＭ３と、このモータＭ３から駆動力を得るＤカット軸３１が設けられているが、この引き込み機構１１は出入りローラ１５による搬送動作を補うものであり、マガジン部８に確実にミニディスクＭを格納するために設けられる。
【００２１】
以上説明のように構成される装置１の動作につき図２を参照して、装置１内においてミニディスクＭが空になっている状態から行う操作例を簡単に述べる。
先ず、アクセサ機構５はエレベータ機構６の作用により、前面開口部７に対向する位置にまで上昇された状態になっており、またシャッター機構４は開く状態に設定されており、さらにホルダー機構９はミニディスクＭ再生装置１０のチャッキング機構に対するチャッキング位置に移動されている。
【００２２】
この後に、最初のミニディスクＭが前面開口部７を介して１枚挿入されると、出入りローラ１５の回動作用によりアクセサ機構５上にミニディスクＭが載置された状態になる。この後に、シャッタ機構４が閉じてアクセサ機構５の出入りローラ１５の逆回動作用により、ミニディスクＭの後端部がシャッタ機構４のシャッター板につき当てられてミニディスクＭのアクセサ機構５上における位置決めがなされる。この後に、再度出入りローラ１５の回動がなされて最初のミニディスクＭがマガジン部８の収容部の最上段に収容される。
【００２３】
引き続き、２枚目のミニディスクＭが前面開口部７から挿入されると、上記の動作後に、アクセサ機構５はエレベータ機構６の作用により下方に収容部８１の一段分の移動がなされ、上段から２番目の収容部８１に２枚目のミニディスクＭが収容される。以降、同様の動作を繰り返し実行して、４枚目のミニディスクＭがマガジン部８に格納される。
【００２４】
以上の格納後に、所望のミニディスクＭを演奏するべく操作されると、アクセサ機構５が格納された所望のミニディスクＭに対向する位置に上下移動停止されてから、所望のミニディスクＭがアクセサ機構５内に引き入れられる。この後に、ホルダー機構９の位置まで下降され、このアクセサ機構５の動作に前後して、ホルダー機構９は取り出し位置まで斜め方向に上昇される。
【００２５】
この後に、出入りローラ１５が回動されてホルダー機構９内にミニディスクＭが挿入され、ホルダー機構９がミニディスクＭ再生装置１０のチャッキング機構に対するチャッキング位置に移動されて所望のミニディスクＭの演奏の準備が整って、演奏が開始される。
一方、演奏終了後または演奏途中で他のミニディスクＭに代えたい場合には、演奏を中止してからホルダー機構９が斜め上方向に上昇されてチャッキング状態が解除されて、アクセサ機構５内にミニディスクＭを引き込み、上方に移動してから元の収容部８１にミニディスクＭを戻す。その後、次に演奏したい所望のミニディスクＭを以下同様にミニディスクＭ再生装置１０のチャッキング機構に対するチャッキング位置に移動して演奏する。
【００２６】
以上説明したように動作する装置１のさらなる特徴として、ミニディスクＭの演奏途中であっても、アクセア機構５の上下移動（矢印ＵＤ方向）が自由に行えることから、他のミニディクスＭの交換のための操作を自由に前面開口部７を介して行うことができる点が挙げられる。即ち、演奏中のミニディスクＭを除いては、他のミニディスクＭはマガジン部８の収容部に収容された状態になっているので、アクセサ機構５の上下方向の移動と出入りローラの駆動により、ミニディスクＭの任意の取り出しと装填を自由に行える利点がある。
【００２７】
また、マガジン部８の収容部８１内においてフル状態でミニディスクＭを収容したままで、好みのミニディスクＭをミニディスクＭ再生装置１０に対して直接セットすることもできる優れた構成が実現できた。
次に、図３（ａ）は第２実施例の構成になる右側面図、また（ｂ）は第３実施例になる右側面図を夫々示したものである。
【００２８】
先ず、図３（ａ）において、既に説明済の構成については同様の符号を付して説明を割愛して、相違部分についてのみ述べると、アクセサ機構５は図中の矢印ＵＤ１により示したように上下駆動されるエレベータ機構６を設けている。また、マガジン部８も上記構成と略同様に固定されている。
一方、ミニディスクＭ再生装置１０はマガジン部８の下方において図中の矢印ＵＤ２に上下駆動される第２エレベータ機構６０を設けている。
【００２９】
以上の構成の第２実施例によれば、マガジン部８の最下段に格納されたミニディスクＭに対してミニディスクＭ再生装置１０側から移動してチャッキング動作が行われてから演奏が行われる。
次に、図３（ｂ）において、既に説明済の構成については同様の符号を付して説明を割愛して、相違部分についてのみ述べると、アクセサ機構５は図中の矢印ＵＤにより示したように上下駆動されるエレベータ機構６１（ラックとピニオンギアからなる）を設けており、このアクセサ機構５の下方においてミニディスクＭ再生装置１０が固定されている。一方、アクセサ機構５の下面にはミニディスクＭが落下可能なオープン面となっているとともに、アクセサ機構５の移動時には、ミニディスＭをその下面から抑える保持腕７０を有している。
【００３０】
以上の構成の第３実施例によれば、アクセサ機構５がミニディスク再生装置のチャッキング位置まで下方に移動して再生可能状態とした後に、保持腕７０によるミニディスクＭの保持を解除する。
尚、上記の実施例においては、カートリッジをミニディスクＭに限定して述べる一方、装置１を横置きにして使用する場合についてのみ述べた関係上から前後左右上下面もこの配置に基づき述べたが、装置１を縦置き、あるいは前面開口部７を上方に向けて配設することも当然可能であり、これらの場合には各面の呼び方も当然代わることは言うまでもない。
【００３１】
【発明の効果】
以上説明したように、本発明によれば、装置前面の開口部から通路を介して複数のディスクカートリッジの再生媒体を格納することができ、また例えばディスク駆動装置の動作途中であってもマガジン部に格納されたディスクカートリッジの再生媒体を装置内に格納されていないディスクカートリッジの再生媒体と１枚毎に交換できるので機能性に優れ、かつ限られた空間を有効に利用して小型に構成できる自動交換式ディスク装置を提供することができる。
【図面の簡単な説明】
【図１】第１実施例の概略構成を示した外観斜視図である。
【図２】第１実施例の概略構成を示した側面図である。
【図３】（ａ）第２実施例の概略構成を示した側面図である。
（ｂ）第３実施例の概略構成を示した側面図である。
【符号の説明】
１…装置、３…サブフレーム、４…シャッター機構、５…アクセサ機構、６…エレベータ機構、７…前面開口部、８…マガジン部、９…ホルダー機構、１０…ミニディスクＭ再生装置である。
【図１】
0003662947.tif 000002
【図２】
0003662947.tif 000003
【図３】
0003662947.tif 000004